(57)【特許請求の範囲】
【請求項１】
前面側にコンセント口を有するテーブルタップ本体の背面側に対向配置される略平板状のホルダー本体と、ホルダー本体の背面側に設けられ磁性体からなる対象物に磁着されるマグネットと、互いに略対向しテーブルタップ本体の周部を包み込むようにホルダー本体の両側前面に１対形成されたリブからなりテーブルタップ本体を着脱自在に保持する保持部とを備え、ホルダー本体及びリブを樹脂成形品とし、リブを成形する金型用の開口部がリブの基端部に形成され、ホルダー本体の前面に、テーブルタップ本体の背面に当接してテーブルタップ本体をリブに押圧する突起が形成されたことを特徴とするテーブルタップ用ホルダー。
【請求項２】
保持部は、互いに略対向するようにホルダー本体の両側前面に２対形成されたリブからなることを特徴とする請求項１記載のテーブルタップ用ホルダー。
【請求項３】
ホルダー本体を対象物に取り付ける取付用ねじを挿通するねじ挿通孔をホルダ本体に設けたことを特徴とする請求項１又は２記載のテーブルタップ用ホルダー。
【請求項４】
ホルダー本体の周縁部に外側に突出する突片を設け、ホルダー本体を対象物に取り付ける取付用ねじを挿通するねじ挿通孔を突片に設けたことを特徴とする請求項１又は２記載のテーブルタップ用ホルダー。
【発明の詳細な説明】
【０００１】
【発明の属する技術分野】
本発明は、テーブルタップを着脱自在に保持して対象物に固定するためのテーブルタップ用ホルダーに関するものである。
【０００２】
【従来の技術】
従来のテーブルタップ用ホルダーには、壁面などの対象物に取り付けられるようにねじ挿通孔が形成されており、このねじ挿通孔にねじを挿通して対象物に螺着することによってテーブルタップ用ホルダーを対象物に固定している（登録実３０４９５４８号，実開昭６３−５５３８２号，実開昭６３−５５３８１号，実開昭６３−５５３８４号，実開昭５６−１３７９号，実開平４−６８４１４号の各公報参照）。
【０００３】
すなわち、テーブルタップ用ホルダーを壁面に取り付ければ、通常床に置かれるテーブルタップを壁面に取り付けることができ、テーブルタップを安全に、且つ使い易くすることができる。
【０００４】
【発明が解決しようとする課題】
しかしながら、従来のテーブルタップ用ホルダーは、取り付けようとする対象物が、例えば冷蔵庫やスチール製の机などのねじを螺着することができないものであるときには、テーブルタップ用ホルダーを取り付けることができないという問題があった。
【０００５】
本発明は上記問題点の解決を目的とするものであり、ねじを用いることができない対象物に容易に取り付けることができるテーブルタップ用ホルダーを提供する。
【０００６】
【課題を解決するための手段】
上記目的を達成するために、請求項１の発明は、前面側にコンセント口を有するテーブルタップ本体の背面側に対向配置される略平板状のホルダー本体と、ホルダー本体の背面側に設けられ磁性体からなる対象物に磁着されるマグネットと、互いに略対向しテーブルタップ本体の周部を包み込むようにホルダー本体の両側前面に１対形成されたリブからなりテーブルタップ本体を着脱自在に保持する保持部とを備え、ホルダー本体及びリブを樹脂成形品とし、リブを成形する金型用の開口部がリブの基端部に形成され、ホルダー本体の前面に、テーブルタップ本体の背面に当接してテーブルタップ本体をリブに押圧する突起が形成されたことを特徴とし、ねじを用いて取り付けることのできない対象物、例えば磁性体からなる冷蔵庫などにマグネットを磁着することで取り付けることができ、テーブルタップを冷蔵庫などに固定することができる。また、リブを成形する金型用の開口部をリブの基端部に形成したことにより、ホルダー本体及びリブを金型にて一体に成形することができる。しかも、スライドコア金型を用いずに、コア金型およびキャビティ金型のみ用いて成形することができるため、金型費用を抑えることができる。さらに、テーブルタップ本体を保持するとき、突起がテーブルタップ本体に干渉し、抵抗力が増すことによってクリック感を出すことができる。また、保持状態においては、テーブルタップのがたつきを抑えることができる。
【００１０】
請求項２の発明は、請求項１の発明において、保持部は、互いに略対向するようにホルダー本体の両側前面に２対形成されたリブからなることを特徴とし、請求項１の発明と同様の作用を奏する。
【００１２】
請求項３の発明は、請求項１又は２の発明において、ホルダー本体を対象物に取り付ける取付用ねじを挿通するねじ挿通孔をホルダー本体に設けたことを特徴とし、マグネットが磁着できない対象物に対しても、ねじ挿通孔に取付用ねじを挿通して螺着することによって取り付けることができる。
【００１３】
請求項４の発明は、請求項１又は２の発明において、ホルダー本体の周縁部に外側に突出する突片を設け、ホルダー本体を対象物に取り付ける取付用ねじを挿通するねじ挿通孔を突片に設けたことを特徴とし、マグネットが磁着できない対象物に対しても、ねじ挿通孔に取付用ねじを挿通して螺着することによって取り付けることができる。
【００１５】
【発明の実施の形態】
（実施形態１）
本実施形態のテーブルタップ用ホルダーは、図１及び図２（ａ）〜（ｃ）に示すように、合成樹脂により細長の略平板状に形成されたホルダー本体１０と、ホルダー本体１０の長手方向の一端を除く周縁部に設けられた前方に突出する合成樹脂製のリブ支持壁４０と、ホルダー本体１０の両側部に在るリブ支持壁４０の前面側周縁から互いに略対向して前方内側に突出するように形成された合成樹脂製の保持部たるリブ４１，４１と、ホルダー本体１０の背面側に取り付けられたマグネット３０とを備えている。
【００１６】
ホルダー本体１０は、長手方向の両端側に、それぞれテーブルタップ用ホルダーを対象物に取り付けるための取付用ねじを挿通するだるま孔形状のねじ挿通孔１１及び略円形のねじ挿通孔１２を有し、リブ支持壁４０が設けられた一端側のねじ挿通孔１２は前面側に大きな開口部を有して、他端側のねじ挿通孔１１は略円形の挿通孔１１ａと、背面側を幅狭にして挿通孔１１ａと連続する挿通孔１１ｂとから成る。また、ホルダー本体１０前面のねじ挿通孔１１，１２の間の部位には、ホルダー本体１０の前面から略半球状に突出する突起１６が形成されている。
【００１７】
また、リブ支持壁４０のリブ４１，４１の基端部には開口部４２，４２が形成され、ホルダー本体１０の長手方向の一端側に在るリブ支持壁４０の前面側周縁には凹部２２が形成されている。
【００１８】
上述のような開口部４２を形成することによって、開口部４２に対応する部位にホルダー本体１０に略垂直な方向にコア金型を通して、内側に突出するリブ４１をリブ支持壁４０に形成することができる。その結果、コア金型とキャビティ金型を用いてリブ４１をホルダー本体１０及びリブ支持壁４０と一体に成形することができ、金型費を抑えることができる。
【００１９】
ところで、マグネット３０は、図２（ｃ），図３，図５に示すように、略矩形板状に形成された永久磁石からなるマグネット部材３１と、マグネット部材３１の磁力を効率良く利用するために磁性材料で略コ字状に形成され、マグネット部材３１に覆い被されたヨーク部３２とからなり、マグネット３０の表面には、マグネット部材３１の表面と、マグネット部材３１を挟むヨーク部３２の１対の縁とが配置されている。マグネット部材３１の表面略中央部には、マグネット部材３１と裏面側に対向するヨーク部３２の中央面とを貫通する貫通孔（図示せず）と、図示しない貫通孔の周りに凹設された略円形の凹所３１ａが設けられており、この図示しない貫通孔に鋲３０ａを挿通して突出させた鋲３０ａの先端部をかしめることにより、マグネット部材３１とヨーク部３２が固定されている。なお、挿入した鋲３０ａの頭部はマグネット部材３１の凹所３１ａに収まり、マグネット部材３１の表面から突出しないようにしている。
【００２０】
ヨーク部３２の両端には３つの取付用爪３２ａ，３２ｂ，３２ｂが外側に突出して形成されている。取付用爪３２ａはヨーク部３２の一端の中央面に形成され、取付用爪３２ｂ，３２ｂはヨーク部３２の他端の両側面にそれぞれ中央面側に傾斜を有して形成されている。
【００２１】
一方、ホルダー本体１０の背面には略矩形の凹部１４が形成されており、凹部１４の長手方向の一方の壁面の幅は、他方の壁面の幅よりも大きくされている。その一方の壁面には、図４に示すように、凹部１４の底部から開口側に向けて弾性板片１４ａが一体に突出させてあり、弾性板片１４ａの先端部の内側には、開口側に傾斜を有した１対の係合爪１４ｂ，１４ｂが一体に突設してある。弾性板片１４ａは凹部１４の壁面と間隔を隔てて間に凹所１５を形成し、凹部１４の長手方向に弾性的に撓み変形して先端部の係合爪１４ｂ，１４ｂが弾性的に変位自在になるようにしてある。また、他方の壁面の底部には、図３に示すように、係合穴１４ｃが設けてあり、この係合穴１４ｃと連続するように凹部１４の底面に案内溝１４ｄが凹設してある。
【００２２】
上述のマグネット３０は、この凹部１４に嵌め込んで取り付けることができる。すなわち、ヨーク部３２の一方の端部を凹部１４に挿入して係合穴１４ｃに取付用爪３２ａを差し込んで係合させる。このとき案内溝１４ｄに案内されて係合穴１４ｃへの取付用爪３２ａの差し込みはスムーズになされる。次に、ヨーク部３２の他方の端部を凹部１４内に押し込むと、係合爪１４ｂ，１４ｂの傾斜面が取付用爪３２ｂ，３２ｂの傾斜面によって押圧され、弾性板片１４ａがマグネット３０と反対方向へ弾性的に撓んで係合爪１４ｂ，１４ｂが変位し、取付用爪３２ｂ，３２ｂが係合爪１４ｂ，１４ｂに係合される。このようにして、係合穴１４ｃに対する取付用爪３２ａの挿入係合と、係合爪１４ｂ，１４ｂに対する取付用爪３２ｂ，３２ｂの引掛け係合によって凹部１４に嵌め込んでマグネット３０を取り付けることができる。またマグネット３０が取り付けられたときには、マグネット３０の表面は、ホルダー本体１０の背面と面一になるように露出される。なお、弾性板片１４ａを凹部１４の壁面側に撓ませることにより、係合爪１４ｂ，１４ｂを取付用爪３２ｂ，３２ｂの引掛け係合から外すことができ、マグネット３０を係脱自在としている。
【００２３】
上述のようなテーブルタップ用ホルダーは、例えば図５に示すようなテーブルタップ本体６１を保持することができる。テーブルタップ本体６１は、略箱状に形成され、前面に１対の栓刃挿入孔６３ａ，６３ａを有するコンセント口６３を２つ備え、さらに長手方向の一端面にもコンセント口６３を１つ備え、コンセント口６３が設けられていない他端面からは電源ケーブル６２が導出されている。このテーブルタップ本体６１をテーブルタップ用ホルダーに保持させるときには、テーブルタップ用ホルダーのリブ支持壁４０が形成されていない一端側からテーブルタップ本体６１を挿入する。テーブルタップ本体６１を挿入するときには、ホルダー本体１０前面に形成された突起１６がテーブルタップ本体６１と当接し、テーブルタップ本体６１がリブ４１，４１に押圧されることによって、挿入に対する抵抗力が増してクリック感を得ることができる。また、逆にテーブルタップ本体６１をテーブルタップ用ホルダーから引き抜いて取り外すときにも、突起１６がテーブルタップ本体６１に当接しなくなると同時に、急に引抜に対する抵抗力が減ってクリック感を得ることができる。そして、図６に示すように、テーブルタップ本体６１の電源ケーブル６２が導出される周辺部がリブ支持壁４０の凹部２２周辺部に当接するまで、テーブルタップ本体６１をテーブルタップ用ホルダーに挿入して保持したときには、テーブルタップ本体６１はホルダー本体１０及びリブ支持壁４０並びにリブ４１，４１に囲まれた間に収まり、リブ４１，４１によって支持され、テーブルタップ本体６１から導出された電源ケーブル６２は、リブ支持壁４０の凹部２２から引き出されるよう配置される。また、この保持状態のときには、突起１６がテーブルタップ本体６１に当接してテーブルタップ本体６１をリブ４１，４１に押圧することで、テーブルタップ本体６１のがたつきを抑えることができる。
【００２４】
本実施形態では、ホルダー本体１０にねじ挿通孔１１，１２を設けたことによって、取付用ねじをねじ挿通孔１１，１２に挿通して例えば木製などの対象物に螺着してテーブルタップ用ホルダーを取り付けることができるとともに、ホルダー本体１０の背面にマグネット３０を備えたことによって、マグネット３０の磁着により例えば取付用ねじを螺着することができなかった冷蔵庫などの磁性体からなる対象物にもテーブルタップ用ホルダーを取り付けて、テーブルタップを固定させることができる。
【００２５】
また、テーブルタップ本体６１を保持しているときに、テーブルタップ本体６１に大きな力がかけられた場合には、テーブルタップ本体６１がテーブルタップ用ホルダーから外れるように、１対のリブ４１の間隔や、それぞれのリブ４１の寸法及び形状が調整されており、例えば老人が電源ケーブル６２を足に引掛けたときには、テーブルタップ本体６１がテーブルタップ用ホルダーから外れて、危険が生じ難いようにしている。
【００２６】
ところで、図７に示すように、１対のリブ４１，４１のぞれぞれの長手方向の幅を短くした２対のリブ４１ａ，４１ａをリブ支持壁４０に形成しても良い。このときにも、リブ支持壁４０のそれぞれのリブ４１ａの基端部に開口部４２ａを形成すれば、この開口部４２ａに対応する部位にコア金型を通すことができ、コア金型とキャビティ金型を用いてリブ４１ａを支持壁４０及びホルダー本体１０と一体に成形することができる。
【００２７】
さらに、ホルダー本体１０にねじ挿通孔１１，１２を設ける代わりに、図８に示すように、ホルダー本体１０のリブ支持壁４０が形成されていない一端に外側に突出する略台形状の突片１７を形成し、この突片１７にだるま孔１８を形成しても良い。だるま孔１８は、略円形の挿通孔１８ａと、挿通孔１８ａに連続した幅狭の挿通孔１８ｂとから成り、例えば壁面などの造営面に螺着されたねじを、このだるま孔１８の挿通孔１８ａに通し、ねじの頭部を突片１７の前面から突出させた後にねじが挿通孔１８ｂに導入されるようにテーブルタップ用ホルダーを造営面に沿って動かすことにより、テーブルタップ用ホルダーを造営面に取り付けることができる。
（実施形態２）
本実施形態における基本構成は実施形態１と共通するために共通する部分については同一の符号を付して説明を省略し、本実施形態の特徴となる部分についてのみ詳細に説明する。
【００２８】
本実施形態のホルダー本体１０’は、図９に示すように、合成樹脂により前面を開口した略箱状に形成されている。このホルダー本体１０’の長手方向の一端側背面には、略円形のねじ挿通孔１２’が形成され、他端側には略円形の挿通孔１１ａ’と、挿通孔１１ａ’に連続して挿通孔１１ａ’より幅狭の挿通孔１１ｂ’とから成るだるま孔形状のねじ挿通孔１１’が形成されている。また、ホルダー本体１０’の背面には、マグネット３０を保持する凹部１４を形成するために前面側に突設される突出部１３が設けられている。
【００２９】
ホルダー本体１０’には実施形態１のリブ支持壁４０の代わりに合成樹脂製の保持部たる周壁２０が形成されている。周壁２０は、ホルダー本体１０’の両側辺に沿って前面に突出され、ホルダー本体１０’のねじ挿通孔１２’が形成されている一端側との間に開口部２３を形成するように連続し、前面側は内側を覆うように略半円弧状に形成されている。また、周壁２０の前面側周縁部には実施形態１と同様に、テーブルタップ本体６１から導出される電源ケーブル６２を外側に引き出す凹部２２が形成されている。
【００３０】
このようなテーブルタップ用ホルダーは、周壁２０が設けられていない一端側から挿入されたテーブルタップ本体６１を、テーブルタップ本体６１の周部を周壁２０で包み込んで着脱自在に保持して対象物に取り付けることができる。
【００３１】
本実施形態では、上述のような開口部２３を設けることによって、ホルダー本体１０’の長手方向の一端側に在る周壁２０には、ホルダー本体１０’に略垂直な方向に互いに対向する部位を無くすことができる。その結果、ホルダー本体１０’の長手方向の一端側に在る周壁２０の内側の部位には、ホルダー本体１０’に略垂直な方向に、開口部２３に対応する部位を通して配置されるコア金型を用いることができる。また、ホルダー本体１０’の両側部に在る周壁２０のそれぞれの内側の部位には、ホルダー本体１０’の長手方向にスライドされるスライドコア金型を用いることによって、上述のコア金型と、コア金型に対応するキャビティ金型、そしてスライドコア金型を用いて、周壁２０をホルダー本体１０’と一体に成形することができる。なお、本実施形態と比べて実施形態１では、スライドコア金型を用いていないことによって、テーブルタップ用ホルダーを容易に成形することができるとともに、金型費用を抑えることができる。
（実施形態３）
本実施形態における基本構成は実施形態１又は２と共通するために共通する部分については同一の符号を付して説明を省略し、本実施形態の特徴となる部分についてのみ詳細に説明する。
【００３２】
本実施形態のテーブルタップ用ホルダーは、図１０に示すように、略平板状のホルダー本体１０の一端側と周壁２０との間に実施形態２のような開口部２３を形成していない点に特徴がある。なお、ホルダー本体１０の長手方向の一端側に在る周壁２０の前面側周縁には幅広の凹部２１が形成され、凹部２２は、この凹部２１を形成する周縁の略中央部に設けられている。
【００３３】
本実施形態では、ホルダー本体１０及び周壁２０に実施形態１又は２の開口部４２，４２ａ，２３のような開口部を設けていないので、金型による一体成形はできないが、デザイン的に見栄えを良くすることができるという利点がある。
【００３４】
【発明の効果】
請求項１の発明は、前面側にコンセント口を有するテーブルタップ本体の背面側に対向配置される略平板状のホルダー本体と、ホルダー本体の背面側に設けられ磁性体からなる対象物に磁着されるマグネットと、互いに略対向しテーブルタップ本体の周部を包み込むようにホルダー本体の両側前面に１対形成されたリブからなりテーブルタップ本体を着脱自在に保持する保持部とを備え、ホルダー本体及びリブを樹脂成形品とし、リブを成形する金型用の開口部がリブの基端部に形成され、ホルダー本体の前面に、テーブルタップ本体の背面に当接してテーブルタップ本体をリブに押圧する突起が形成されたので、ねじを用いて取り付けることのできない対象物、例えば磁性体からなる冷蔵庫などにマグネットを磁着することで取り付けることができ、テーブルタップを冷蔵庫などに固定することができるという効果がある。また、リブを成形する金型用の開口部をリブの基端部に形成したので、ホルダー本体及びリブを金型にて一体に成形することができるという効果がある。しかも、スライドコア金型を用いずに、コア金型およびキャビティ金型のみ用いて成形することができるため、金型費用を抑えることができるという効果がある。さらに、テーブルタップ本体を保持するとき、突起がテーブルタップ本体に干渉し、抵抗力が増すことによってクリック感を出すことができるという効果がある。また、保持状態においては、テーブルタップのがたつきを抑えることができるという効果がある。
【００３８】
請求項２の発明は、保持部は、互いに略対向するようにホルダー本体の両側前面に２対形成されたリブからなるので、請求項１の発明と同様の効果を奏する。
【００４０】
請求項３の発明は、ホルダー本体を対象物に取り付ける取付用ねじを挿通するねじ挿通孔をホルダー本体に設けたので、マグネットが磁着できない対象物に対しても、ねじ挿通孔に取付用ねじを挿通して螺着することによって取り付けることができるという効果がある。
【００４１】
請求項４の発明は、ホルダー本体の周縁部に外側に突出する突片を設け、ホルダー本体を対象物に取り付ける取付用ねじを挿通するねじ挿通孔を突片に設けたので、マグネットが磁着できない対象物に対しても、ねじ挿通孔に取付用ねじを挿通して螺着することによって取り付けることができるという効果がある。
【図面の簡単な説明】
【図１】実施形態１を示す斜視図である。
【図２】同上の（ａ）は正面図、（ｂ）は下面図、（ｃ）は背面図である。
【図３】同上の要部側面断面図を示す。
【図４】同上の要部断面図を示す。
【図５】同上の分解斜視図を示す
【図６】同上の取付例を示す斜視図である。
【図７】同上の他の例を示す斜視図である。
【図８】同上のさらに他の例を示す斜視図である。
【図９】実施形態２を示す斜視図である。
【図１０】実施形態３を示す斜視図である。
【符号の説明】
１０  ホルダー本体
１６  突起
３０  マグネット
４０  リブ支持壁
４１  リブ
【図１】
0003610849.tif 000002
【図２】
0003610849.tif 000003
【図３】
0003610849.tif 000004
【図４】
0003610849.tif 000005
【図５】
0003610849.tif 000006
【図６】
0003610849.tif 000007
【図７】
0003610849.tif 000008
【図８】
0003610849.tif 000009
【図９】
0003610849.tif 000010
【図１０】
0003610849.tif 000011